(57)【要約】【課題】目地幅を発生させることなく長手方向に設置された隣接するデッキ材を連結する。【解決手段】長手方向に連続する中空部１０ａが幅方向に複数個形成されたデッキ材１０と、２個の脚片２１の上端部が接続片２２で連結された接続部２および該接続部２の各脚片２１の外面からそれぞれ突出された複数個の連結部３からなる連結部材１と、から構成される。そして、連結部材１の各連結部３は、デッキ材１０の中空部１０ａに対応する形状に形成されており、長手方向に敷設された２本のデッキ材１０の中空部１０ａに連結部材１の対応する連結部３がそれぞれ嵌合されて２本のデッキ材１０が連結される。【選択図】図１
2008002164.tif 000002
【特許請求の範囲】
【請求項１】
長手方向に連続する中空部が幅方向に複数個形成されたデッキ材と、２個の脚片の上端部が接続片で連結された接続部および該接続部の各脚片の外面からそれぞれ突出された複数個の連結部からなる連結部材と、から構成され、前記連結部材の各連結部は、デッキ材の中空部に対応する形状に形成され、長手方向に敷設された２本のデッキ材の中空部に連結部材の対応する連結部がそれぞれ嵌合されて２本のデッキ材が連結されることを特徴とするデッキ材の連結構造。
【請求項２】
前記連結部材における接続部の接続片に、各脚片の内面に沿う切れ目が形成されることを特徴とする請求項１記載のデッキ材の連結構造。
【請求項３】
前記連結部材における接続部の接続片が伸縮自在であることを特徴とする請求項１または２記載のデッキ材の連結構造。
【請求項４】
長手方向に連続する中空部が幅方向に複数個形成されたデッキ材と、１個の脚片の上端部に接続片が設けられた接続部および該接続部の脚片の両面からそれぞれ突出された複数個の連結部からなる連結部材と、から構成され、前記連結部材の各連結部は、デッキ材の中空部に対応する形状に形成され、長手方向に敷設された２本のデッキ材の中空部に連結部材の対応する連結部がそれぞれ摺動自在に嵌合されて２本のデッキ材が連結されることを特徴とするデッキ材の連結構造。
【発明の詳細な説明】
【技術分野】
【０００１】
この発明は、デッキ材の連結構造に関するものである。
【背景技術】
【０００２】
従来より、長手方向に連続する中空部が幅方向に複数個形成された設定寸法のデッキ材をバルコニーやテラスなどの縦横方向に順に敷設してデッキを形成することが行われている（例えば、特許文献１参照）。
【特許文献１】特開２００４−２７７２４号公報
【発明の開示】
【発明が解決しようとする課題】
【０００３】
ところで、前述したデッキを形成する際において、デッキ材をその幅方向に順に敷設する場合には、デッキ材の幅方向の側端面に形成された連結溝を利用してデッキ固定部材を固定することにより、幅方向に隣接するデッキ材を設定間隔をおいて設置することができる。これに対し、デッキ材を長手方向に順に敷設する場合には、夏季の気温上昇に伴う熱膨張を考慮して一定の隙間をおいてデッキ材を設置する必要がある。このため、バルコニーなどのデッキにおいては、長手方向に設置された隣接するデッキ材の間に一定の隙間（目地幅）が形成されており、見栄えが低下するとともに、歩行時に引っ掛かってつまずいたり、ゴミがたまるなどの不具合がある。
【０００４】
本発明は、このような問題点に鑑みてなされたもので、目地幅を発生させることなく長手方向に設置された隣接するデッキ材を連結することのできるデッキ材の連結構造を提供するものである。
【課題を解決するための手段】
【０００５】
本発明は、長手方向に連続する中空部が幅方向に複数個形成されたデッキ材と、２個の脚片の上端部が接続片で連結された接続部および該接続部の各脚片の外面からそれぞれ突出された複数個の連結部からなる連結部材と、から構成され、前記連結部材の各連結部は、デッキ材の中空部に対応する形状に形成され、長手方向に敷設された２本のデッキ材の中空部に連結部材の対応する連結部がそれぞれ嵌合されて２本のデッキ材が連結されることを特徴とするものである。
【０００６】
本発明によれば、長手方向に隣接して敷設された一対のデッキ材は、それらの中空部に連結部材の一方の連結部および他方の連結部をそれぞれ嵌合することにより、連結することができる。この際、隣接するデッキ材の長手方向の端面間は、連結部材によって連結され、接続片で目地上部をカバーするため、見栄えを低下させることがない他、つまずいたり、ゴミがたまることもない。
【０００７】
なお、夏季において、気温上昇によるデッキ材の熱膨張は、一対の脚片間の間隔を縮小するように連結部材が変形することによって吸収することができ、デッキ材が突き合わされてめくれ上がることを防止できる。
【０００８】
本発明において、前記連結部材における接続部の接続片に、各脚片の内面に沿う切れ目が形成されることが好ましい。これにより、切れ目に沿って連結部材の接続片を簡単に切断して除去することができ、その連結部をデッキ材の中空部に嵌合することによってデッキ材の端面を覆うキャップとして使用することができる。
【０００９】
本発明において、前記連結部材における接続部の接続片が伸縮自在であることが好ましい。これにより、夏季において、デッキ材が気温上昇によって熱膨張し、脚片を押圧した際に、脚片間の間隔を狭めるように接続片が無理なく縮小して、デッキ材の熱膨張を吸収することができる。
【００１０】
ここで、接続片の伸縮自在な形状としては、断面波形状やジグザク状を挙げることができる。
【００１１】
本発明は、長手方向に連続する中空部が幅方向に複数個形成されたデッキ材と、１個の脚片の上端部に接続片が設けられた接続部および該接続部の脚片の両面からそれぞれ突出された複数個の連結部からなる連結部材と、から構成され、前記連結部材の各連結部は、デッキ材の中空部に対応する形状に形成され、長手方向に敷設された２本のデッキ材の中空部に連結部材の対応する連結部がそれぞれ摺動自在に嵌合されて２本のデッキ材が連結されることを特徴とするものである。
【００１２】
本発明によれば、長手方向に隣接して敷設された一対のデッキ材は、それらの中空部に連結部材の一方の連結部および他方の連結部をそれぞれ嵌合することにより、連結することができる。この際、隣接するデッキ材の長手方向の端面間は、連結部材によって連結され、接続片で目地上部をカバーするため、見栄えを低下させることがない他、つまずいたり、ゴミがたまることもない。
【００１３】
なお、夏季において、気温上昇によるデッキ材の熱膨張は、脚片の両面にそれぞれ設けられた連結部に各デッキ材の中空部がそれぞれ摺動自在に嵌合されていることにより、デッキ材が連結部に沿って摺動することで吸収することができ、デッキ材が突き合わされてめくれ上がることを防止できる。
【発明の効果】
【００１４】
本発明によれば、目地幅を発生させることなく長手方向に設置された隣接するデッキ材を連結することができる。
【発明を実施するための最良の形態】
【００１５】
以下、本発明の実施の形態を図面に基づいて説明する。
【００１６】
図１には、本発明のデッキ材の連結構造の一実施形態が示されている。
【００１７】
この連結構造は、長手方向に配置された隣接する板状のデッキ材１０と、これらのデッキ材１０を連結するプラスチック製の連結部材１と、から構成されている。
【００１８】
ここで、デッキ材１０は、プラスチック、例えば、ポリエチレンに木粉を充填した押出成形品であって、長手方向に貫通する複数個（実施例においては４個）の中空部１０ａが幅方向に設定間隔をおいて形成された従来公知のものである。
【００１９】
連結部材１は、プラスチックや金属製の、例えば、ポリエチレンや塩化ビニルの射出成形品であって、一対の脚片２１の上端部にわたって設けられた接続片２２からなる断面コ字状の接続部２と、接続部２の各脚片２１の外面に外方に突出して形成された複数個の連結部３からなり、各連結部３の外周面形状は、デッキ材１０の中空部１０ａの内周面形状に対応して形成されている。
【００２０】
ここで、連結部３は、デッキ材の４個の中空部１０ａのうち、幅方向両端部の中空部１０ａに対応して２個形成されている。また、連結部３は、接続部２の各脚片２１に対して、デッキ材１０の上面および中空部１０ａの上内面間の厚みに相当する間隔を接続片２２の上面との間に有して形成されており、これにより、各連結部３がデッキ材１０の対応する中空部１０ａに嵌合された際に、接続部２の接続片２２の上面と、デッキ材１０の上面とが面一に連続するようになっている。
【００２１】
このように構成された連結部材１を用いてデッキ材１０を長手方向に敷設する場合は、先に敷設されたデッキ材１０に対して連結部材１の一方の連結部３を対応する中空部１０ａに嵌合した後、連結部材１の他方の連結部３に、隣接するデッキ材１０の対応する中空部１０ａを嵌合して敷設すればよい。この際、幅方向に隣接するデッキ材１０とも図示しない固定部材を介して合わせて固定する。
【００２２】
以下、同様に長手方向にデッキ材１０を敷設するとともに、幅方向にも順に隣接してデッキ材１０を敷設することにより、ベランダなどにデッキ材１０によるデッキを形成することができる。
【００２３】
このように形成されたデッキにおいては、長手方向に隣接するデッキ材１０間に連結部材１が設けられ、接続片２２で目地上部をカバーするため、見栄えを低下させることがなく、また、つまずいたり、ゴミがたまるという不具合が発生することを防止できる。
【００２４】
一方、夏季において、気温の上昇に伴ってデッキ材１０が長手方向に熱膨張した場合には、連結部材１における接続部２の脚片２１を熱膨張したデッキ材１０の端面が押圧し、脚片２１間の間隔を狭めるように接続部２を変形させることから、デッキ材１０同士が突き合わされてめくれ上がるおそれはない。
【００２５】
ところで、図２には、連結部材１の変形例が示されている。
【００２６】
この連結部材１は、接続部２の接続片２２の上面に各脚片２１の内面に対応する位置に切れ目２２１が形成されたものである。
【００２７】
このような連結部材１は、長手方向の端部に配置されるデッキ材１０にキャップとして使用される。すなわち、連結部材１における接続部２の接続片２２に形成された切れ目２２１に沿ってそれぞれ切断して接続片２２を除去し、残された側の連結部３を端部に配置されたデッキ材１０の対応する中空部１０ａに嵌合すれば、図２に示すように、デッキ材１０のキャップとして利用することができ、デッキ材１０の長手方向の端部の見栄えを向上させる他、ゴミが入ることを防ぐことができる。
【００２８】
また、図３には、連結部材１の他の変形例が示されている。
【００２９】
この連結部材１は、接続部２の接続片２２を断面波形状やジグザク状などに形成して、容易に伸縮するようにしたものである。すなわち、デッキ材１０が長手方向に熱膨張した場合、連結部材１における接続部２の脚片２１を熱膨張したデッキ材１０の端面が押圧した際、接続片２２が波形などのピッチを縮めるように変形して脚片２１間の間隔が狭まることを許容することから、連結部材１に無理な力が作用することを防止しつつ、デッキ材１０同士が突き合わされてめくれ上がることを確実に防止することができる。
【００３０】
一方、図４および図５には、デッキ材１０の連結構造の他の実施形態が示されている。
【００３１】
この実施形態の連結部材１Ａは、単一の脚片４１の上端部に設けられた接続片４２からなる断面Ｔ字状の接続部４と、接続部４の脚片４１の両面に外方に突出して形成された複数個の連結部３からなり、各連結部３の外周面形状は、デッキ材１０の中空部１０ａの内周面形状に対応してわずかに小さく形成されている。すなわち、連結部材１Ａの連結部３に対して、デッキ材１０の中空部１０ａが容易に摺動することができる大きさに形成されている。
【００３２】
ここで、連結部材１Ａは、図３にも示したように、デッキ材１０の３個の中空部１０ａのうち、幅方向両端部の中空部１０ａに対応して２個形成されている。また、連結部３は、接続部４の脚片４１に対して、デッキ材１０の上面および中空部１０ａの上内面間の厚みに相当する間隔を接続片４２の下面との間に有して形成されており、これにより、各連結部３がデッキ材１０の対応する中空部１０ａに嵌合された際に、接続部４の接続片４２の下面がデッキ材１０の上面に載置されるようになっている。
【００３３】
なお、連結部材１Ａにおける接続部４の接続片４２は、先端に向かって徐々に板厚が薄くなるように下り勾配の傾斜面に形成されており、各連結部３がデッキ材１０の対応する中空部１０ａに嵌合された際、デッキ材１０の表面に段差を発生させることなく滑らかに接続される。
【００３４】
このように構成された連結部材１Ａを用いてデッキ材１０を長手方向に敷設する場合も、先に敷設されたデッキ材１０に対して連結部材１Ａの一方の連結部３を対応する中空部１０ａに嵌合した後、連結部材１Ａの他方の連結部３に隣接するデッキ材１０の対応する中空部１０ａを嵌合して敷設すればよい。この際、デッキ材１０の先端と、連結部材１Ａにおける接続部４の脚片４１との間に、夏季における気温上昇に伴う熱膨張を考慮した間隔をおいて、また、冬季における気温低下に伴う縮小を考慮して、デッキ材１０の先端が連結部材１Ａにおける接続部４の接続片４２の先端から離脱しないように、連結部３に対する嵌合度を調整する。また、幅方向に隣接するデッキ材１０とも図示しない固定部材を介して合わせて固定する。
【００３５】
以下、同様に長手方向にデッキ材１０を敷設するとともに、幅方向にも順に隣接してデッキ材１０を敷設することにより、ベランダなどにデッキ材１０によるデッキを形成することができる。
【００３６】
このように形成されたデッキにおいては、長手方向に隣接するデッキ材１０間に連結部材１Ａが設けられ、接続片４２で目地上部をカバーするため、見栄えを低下させることがなく、また、つまずいたり、ゴミがたまるという不具合が発生することを防止できる。
【００３７】
一方、夏季において、気温の上昇に伴ってデッキ材１０が長手方向に熱膨張した場合には、連結部材１Ａにおける連結部３に沿って熱膨張したデッキ材１０が中空部１０ａを介して摺動し、熱膨張を吸収することができ、デッキ材１０同士が突き合わされてめくれ上がるおそれはない。しかも、連結部３に中空部１０ａが嵌合されてデッキ材１０が摺動するのみで、連結部材１Ａに格別に大きな力は作用せず、変形することもない。
【図面の簡単な説明】
【００３８】
【図１】本発明のデッキ材の連結構造の一実施形態を示す斜視図である。
【図２】図１の連結部材の拡大図である。
【図３】図２の連結部材をキャップとして用いた状態を説明する斜視図である。
【図４】他の連結部材を用いた本発明のデッキ材の連結構造の他の実施形態を示す斜視図である。
【図５】図４の連結構造の要部拡大断面部である。
【符号の説明】
【００３９】
１  連結部材
２，４  接続部
２１，４１  脚片
２２，４２  接続片
３  連結部
１０  デッキ材
１０ａ  中空部
【図１】
2008002164.tif 000003
【図２】
2008002164.tif 000004
【図３】
2008002164.tif 000005
【図４】
2008002164.tif 000006
【図５】
2008002164.tif 000007